(57)【特許請求の範囲】
【請求項１】
上紙と下紙とを部分的に貼り合せてなる冊子であって、
前記下紙の長手方向の中心線を中央とする第１の所定幅を有する第１の部分が、前記下紙の長手方向の中心線に沿って折りたたまれており、
前記下紙の前記第１部分の外側に第２の所定幅を有する左右の第２部分が、前記上紙の長手方向の中心線から外側に第３の所定幅を有する左右の第３の部分とそれぞれ貼り合されていることを特徴とする冊子。
【請求項２】
前記上紙の前記第３の部分の外側に位置する左右の第４の部分が相互に部分的に貼り合されており、
相互に貼り合された第４の部分は、前記冊子が開かれたときに立体的に起立することを特徴とする請求項１に記載の冊子。
【請求項３】
前記第４の部分は、前記上紙を所定の形状に切断されて形成されており、
前記上紙の前記第４の部分より外側の部分は、前記下紙に貼り付けられていることを特徴とする請求項２に記載の冊子。
【請求項４】
前記下紙の長手方向の長さは、前記第１の所定幅だけ前記上紙の長手方向の長さよりも長いことを特徴とする請求項１乃至３のいずれか一項に記載の冊子。
【請求項５】
上紙と下紙とを部分的に貼り合せてなる冊子の製造方法であって、
前記上紙を、当該上紙の長手方向の中心線に沿って折り畳む折り畳み工程と、
前記下紙の長手方向の中心線より所定幅外側の左右の位置にそれぞれ糊付けする糊付け工程と、
折り畳まれた前記上紙の折り目と反対側の端部と前記下紙の一方の端部とを揃えて、前記上紙を前記下紙に貼り付ける貼付工程と、
前記下紙の他方の端部が、折り畳まれた前記上紙の折り目と反対側の端部と揃うように前記下紙を折り畳んで前記上紙と前記下紙とを貼り合せる貼り合せ工程と、
を有することを特徴とする冊子の製造方法。
【請求項６】
前記折り畳み工程の前に、前記冊子が開かれたときに前記上紙の一部が立体的に起立するように前記上紙の一部に糊付けする他の糊付け工程を有することを特徴とする請求項５に記載の冊子の製造方法。
【請求項７】
折りたたまれた前記上紙を所定形状に切り抜く型抜き工程を有することを特徴とする請求項６に記載の冊子の製造方法。
【発明の詳細な説明】
【技術分野】
【０００１】
本発明は、無線綴じタイプの冊子に関する。
【背景技術】
【０００２】
本や冊子の製本方法として、本の背を接着剤で固める無線綴じが知られている。無線綴じで製本した本は接着剤で固めた背が柔軟でないため、本を大きく開きにくい傾向がある。特許文献１は、接着剤を工夫することにより開きを良くした無線綴じ本を開示している。
【０００３】
一方、予め切断、貼付などの加工を施した用紙を綴じ込み、開いたときに立体的に起立するいわゆるポップアップ形状を有する本やパンフレットなどの冊子が知られている。
【０００４】
なお、特許文献２は、販促用の冊子を封入した冊子封入物を記載している。
【先行技術文献】
【特許文献】
【０００５】
【特許文献１】登録実用新案第３１６７６００号公報
【特許文献２】特開２００４−３３８７９２号公報
【発明の概要】
【発明が解決しようとする課題】
【０００６】
無線綴じタイプの本や冊子の場合、ミーリングや背糊の影響でページの中央部が十分に開きにくくなるという問題がある。
【０００７】
本発明は、無線綴じタイプの冊子においてページ中央が十分に開く構造とすることを主な目的とする。
【課題を解決するための手段】
【０００８】
本発明の１つの観点は、上紙と下紙とを部分的に貼り合せてなる冊子であって、前記下紙の長手方向の中心線を中央とする第１の所定幅を有する第１の部分が、前記下紙の長手方向の中心線に沿って折りたたまれており、前記下紙の前記第１部分の外側に第２の所定幅を有する左右の第２部分が、前記上紙の長手方向の中心線から外側に第３の所定幅を有する左右の第３の部分とそれぞれ貼り合されている。
【０００９】
上記の冊子は、上紙と下紙とが部分的に貼り合されてなり、下紙の長手方向の中心線かから所定幅の部分が折り畳まれる。そして、下紙の折り畳まれた部分の外側の部分と、上紙の中心線から所定幅の部分とが貼り合される。これにより、下紙の折り畳まれた部分が上げ底部となり、その上で下紙と上紙の中央部分とが貼り合された構造となる。その結果、上紙の中央部分を上げ底部の上で十分に開くことができる。
【００１０】
上記の冊子の一態様では、前記上紙の前記第３の部分の外側に位置する左右の第４の部分が相互に部分的に貼り合されており、相互に貼り合された第４の部分は、前記冊子が開かれたときに立体的に起立する。この態様では、下紙と貼り合された部分より外側の部分において上紙を部分的に貼り合せることにより、ポップアップ形状、即ち、冊子が開いたときに立体的に起立する部分を形成することができる。
【００１１】
上記の冊子の他の一態様では、前記第４の部分は、前記上紙を所定の形状に切断されて形成されており、前記上紙の前記第４の部分より外側の部分は、前記下紙に貼り付けられている。この態様では、立体的に起立する部分を所定の形状に切断することにより、所望のポップアップ形状を作製することができる。
【００１２】
上記の冊子の他の一態様では、前記下紙の長手方向の長さは、前記第１の所定幅だけ前記上紙の長手方向の長さよりも長い。これにより、上げ底部を形成して冊子の開きを良くした場合でも、冊子の左右の端部で上紙と下紙を揃えることができる。
【００１３】
本発明の他の観点は、上紙と下紙とを部分的に貼り合せてなる冊子の製造方法であって、前記上紙を、当該上紙の長手方向の中心線に沿って折り畳む折り畳み工程と、前記下紙の長手方向の中心線より所定幅外側の左右の位置にそれぞれ糊付けする糊付け工程と、折り畳まれた前記上紙の折り目と反対側の端部と前記下紙の一方の端部とを揃えて、前記上紙を前記下紙に貼り付ける貼付工程と、前記下紙の他方の端部が、折り畳まれた前記上紙の折り目と反対側の端部と揃うように前記下紙を折り畳んで前記上紙と前記下紙とを貼り合せる貼り合せ工程と、を有する。
【００１４】
この製造方法によれば、上紙を中心線に沿って折り畳み、下紙に糊付けして、折り畳まれた上紙を下紙に貼り付ける。そして、上紙の折り目と反対側の端部と、下紙の端部とが揃うように下紙を折り畳んで冊子を形成する。これにより、下紙の折り畳まれた部分が上げ底部となり、その上で下紙と上紙の中央部分とが貼り合された構造となる。その結果、上紙の中央部分を上げ底部の上で十分に開くことができるようになる。
【００１５】
上記の製造方法の一態様は、前記折り畳み工程の前に、前記冊子が開かれたときに前記上紙の一部が立体的に起立するように前記上紙の一部に糊付けする他の糊付け工程を有する。これにより、ポップアップ形状、即ち、冊子が開いたときに立体的に起立する部分を形成することができる。
【００１６】
上記の製造方法の他の一態様は、折りたたまれた前記上紙を所定形状に切り抜く型抜き工程を有する。これにより、所望のポップアップ形状を作製することができる。
【発明の効果】
【００１７】
本発明によれば、無線綴じタイプの冊子においてページ中央が十分に開く構造とすることができる。
【図面の簡単な説明】
【００１８】
【図１】本発明の実施形態に係る冊子の外観を示す斜視図である。
【図２】上紙及び下紙の平面図である。
【図３】上紙と下紙の貼り合せ領域を示す図である。
【図４】冊子の製造工程を示す図である。
【図５】冊子の製造工程を示す図である。
【図６】変形例に係る冊子の外観を示す斜視図である。
【発明を実施するための形態】
【００１９】
以下、図面を参照しながら、本発明の実施の形態について説明する。
【００２０】
［冊子の構成］
図１は、本発明の実施形態に係る冊子の外観を示す斜視図である。冊子１は、いわゆるポップアップ形状を有する無線綴じ冊子であり、開いたときに内部が立体的に起立するものである。具体的に、冊子１は、上紙１０と下紙２０とを部分的に貼り合せて作製される。
【００２１】
図２（Ａ）は上紙１０の平面図であり、図２（Ｂ）は下紙２０の平面図である。図２（Ｂ）に示すように、下紙２０は矩形の用紙であり、長手方向（図中の左右方向）の中心線２０Ｃを中心として左右対称な左側部分２１Ｌと右側部分２１Ｒとを有する。中心線２０Ｃから左右に所定幅ｄ１の部分を中央部分２２とする。中央部分２２は、左側部分２２Ｌと右側部分２２Ｒとを有する。
【００２２】
図１と図２（Ｂ）とを参照すると理解されるように、冊子１の完成状態では、下紙２０の左側部分２１Ｌと右側部分２１Ｒには、部分的に切断された上紙１０が貼り付けられる。また、下紙２０の中央部分２２が中心線２０Ｃに沿って折り曲げられて左側部分２２Ｌと右側部分２２Ｒとが向かい合うように折り畳まれる。このように折り曲げられた中央部分２２は、冊子１の上げ底部として機能する。即ち、上紙１０の中央の部分が、この上げ底部の長さだけ浮いた状態で下紙２０に貼り付けられる。この点から理解されるように、下紙２０の横方向の長さは、中央部分２２の幅ｄ１だけ上紙１０の横方向の長さより長くなっている。即ち、そうすることにより、完成状態の冊子１では、上紙１０と下紙２０の左右の端部がそれぞれ揃った状態となる。
【００２３】
図２（Ａ）は上紙１０の平面図であり、ポップアップ形状を形成するために型抜きされる切断線を破線で示している。上紙１０は、後述する型抜き工程において、長手方向（図中の左右方向）の中心線１０Ｃを中心にして左右に所定幅ｄ２の位置、即ち切断線１５Ｌ、１５Ｒの位置で、上下端から所定距離だけ切断される。切断線１５Ｌ，１５Ｒの内側の中央部分１３Ｌ、１３Ｒは、下紙２０に貼り付けられる領域である。また、上紙１０は、後述する型抜き工程において、中央部分１３Ｌ、１３Ｒより外側の位置において、切断線１４Ｌ、１４Ｒに沿って切断される。切断により得られた切断線１４Ｌ、１４Ｒの内側の部分１２Ｌ、１２Ｒをポップアップ部分と呼び、切断線１４Ｌ、１４Ｒより外側の部分１１Ｌ、１１Ｒを外側部分と呼ぶ。
【００２４】
切断線１４Ｌ、１４Ｒの形状は、冊子１が開いたときに立体的に起立するポップアップ形状を規定するものである。切断線１４Ｌ、１４Ｒの形状は、本実施形態では説明の便宜上単純な円弧状としているが、実際には任意の形状とすることができ、左右対称でなくてもよい。
【００２５】
図１と図２（Ａ）とを参照すると理解されるように、冊子１の完成状態では、上紙１０の中央部分１３Ｌ、１３Ｒは、下紙２０の中央付近に貼り付けられる。詳しくは、上紙１０の中央部分１３Ｌ、１３Ｒは、下紙２０の中央部分２２（即ち、上げ底部）の上の位置で下紙２０に貼り付けられる。
【００２６】
上紙１０のポップアップ部分１２Ｌ、１２Ｒは、図１に示すように、各々の上下端が相互に貼り合されてポップアップ形状を構成する。切断線１５Ｌ、１５Ｒは上下端から各々所定距離のみ切断されているため、ポップアップ部分１２Ｌ、１２Ｒの中心線１０Ｃ側の部分は切断されておらず、ポップアップ部分１２Ｌ、１２Ｒは中央部分１３Ｌ、１３Ｒと繋がっているので、ポップアップ形状は中央部分１３Ｌ、１３Ｒの外側からポップアップ部分１２Ｌ、１２Ｒが立体的に起立した形状となる。
【００２７】
上紙１０の外側部分１１Ｌ、１１Ｒは、図１に示すように、外側部分１１Ｌが下紙２０の左側部分２１Ｌ上に貼り付けられており、外側部分１１Ｒが下紙２０の右側部分２１Ｒ上に貼り付けられている。
【００２８】
次に、冊子１の中央付近における上紙１０と下紙２０との貼り合せ位置について詳しく説明する。図３（Ａ）は上紙１０の平面図である。図示のように、上紙１０の中心線１０Ｃの左右両側の所定幅ｄ２の部分が貼り合せ領域１６Ｌ、１６Ｒとなり、これらの領域が下紙２０と貼り合される。なお、図３（Ａ）は冊子１を内側から見た平面図であり、実際には図３（Ａ）における貼り合せ領域１６Ｌ、１６Ｒの裏側が下紙２０に貼り付けられる。貼り合せ領域１６Ｌ、１６Ｒは、図２（Ａ）における上紙１０の中央部分１３Ｌ、１３Ｒとそれぞれ一致する。
【００２９】
図３（Ｂ）は下紙２０の平面図である。図示のように、下紙２０では、中心線２０Ｃをまたぐように所定幅ｄ１の中央部分２２があり、これが冊子１の完成状態で上述の上げ底部となる。そして、中央部分２２の左右の外側の所定幅ｄ２の部分がそれぞれ貼り合せ領域２６Ｌ、２６Ｒとなり、これらの領域が上紙１０と貼り合される。より具体的には、図３（Ａ）に示す上紙１０の貼り合せ領域１６Ｌ（正確には、貼り合せ領域１６Ｌの裏側）が図３（Ｂ）に示す下紙２０の貼り合せ領域２６Ｌと貼り合される。また、図３（Ａ）に示す上紙１０の貼り合せ領域１６Ｒ（正確には、貼り合せ領域１６Ｒの裏側）が図３（Ｂ）に示す下紙２０の貼り合せ領域２６Ｒと貼り合される。これにより、図１に示すように、下紙２０の中央部分２２は、中心線２０Ｃに沿って折り畳まれて底上げ部を構成する。本実施形態では、このように底上げ部を構成することにより、上紙１０の中央付近、より具体的には中央部分１３Ｌ、１３Ｒの部分を大きく開くことが可能となる。これにより、上紙２０により形成されるポップアップ形状を十分に立体的に起立させることが可能となる。
【００３０】
上記の構成において、下紙２０の中央部分２２は本発明の第１の部分に相当し、下紙２０の貼り合せ領域２６Ｌ、２６Ｒは本発明の第２の部分に相当し、上紙１０の貼り合せ領域１６Ｌ、１６Ｒは本発明の第３の部分に相当する。
【００３１】
なお、本実施例では上紙１０と下紙２０の形状を矩形形状としているが、本発明の適用はこれには限られない。冊子１の中央に形成されるポップアップ形状との関係において、上紙１０と下紙２０の形状を任意に設定することができる。
【００３２】
［冊子の製造方法］
次に、上記の冊子１の製造方法について説明する。図４、５は冊子１の製造方法を示す。
【００３３】
まず、工程１において、上紙１０と下紙２０とを作製する。なお、上紙１０と下紙２０は、同一の連続用紙（ロール紙）を所定の形状で切断して作製してもよいし、予め所定形状で切断された異なる用紙からそれぞれ上紙１０と下紙２０とを作製しても良い。
【００３４】
次に、工程２において、上紙１０の所定箇所に糊付けを行う。これは、完成状態においてポップアップ形状を形成する箇所を予め糊付けする作業である。具体的には、図１に示すようにポップアップ部分１２Ｌ、１２Ｒの上下端が相互に貼り付けられるので、図４に示すように、ポップアップ部分１２Ｒの上下端の領域３１に糊付けを行う。なお、ポップアップ部分１２Ｒ側ではなく、ポップアップ部分１２Ｌ側に糊付けを行ってもよい。
【００３５】
次に、工程３において、上紙１０を中心線１０Ｃに沿って折り畳む。これにより、工程２で糊付けした箇所３１においてポップアップ部分１２Ｌとポップアップ部分１２Ｒとが貼り合される。
【００３６】
次に、工程４において、下紙２０に糊付けを行う。これは、上紙１０と下紙２０とを貼り合せるためであり、具体的には、図３（Ｂ）に示す下紙２０の貼り合せ領域２５Ｌ、２５Ｒ、及び、上紙１０の外側部分１１Ｌ、１１Ｒが貼り付けられる領域（図４においては２３Ｌ、２３Ｒとする）に糊付けが行われる。
【００３７】
次に、図５に示す工程５において、下紙２０に上紙１０を貼り付ける。この際、工程３で折りたたまれた上紙１０を、その折り目と反対側の端部（図中の右端）が、下紙２０の右端と揃うように下紙２０上に配置して貼り合せを行う。これにより、工程４で糊付けされた領域のうち、下紙２０の右半分の領域２５Ｒ、２３Ｒが上紙１０に貼り付けられる。より詳しくは、上紙１０の貼り合せ領域１５Ｒと下紙２０の貼り合せ領域２５Ｒとが貼り合され、上紙１０の外側部分１１Ｒと下紙２０の部分２３Ｒとが貼り合される。
【００３８】
次に、工程６において、上紙の型抜きを行う。工程５によって、２つ折りにされた上紙１０が下紙２０の右半分に重ねて貼り合された状態、即ち、下紙２０の右半分は３枚重ねの状態となっている。この状態で、２つ折りにされた上紙１０のみ、即ち上側２枚のみを、図２（Ａ）に示す切断線１４Ｌ、１４Ｒ、１５Ｌ、１５Ｒに沿って切断する。なお、図５では、工程６における切断後の状態を実線で示している。
【００３９】
次に、工程７において、下紙２０の左半分を中心線２０Ｃに沿って右側に折り畳む。これにより、工程４で糊付けされた領域のうち、下紙２０の左半分の領域２５Ｌ、２３Ｌが上紙１０に貼り付けられる。より詳しくは、上紙１０の貼り合せ領域１５Ｌと下紙２０の貼り合せ領域２５Ｌとが貼り合され、上紙１０の外側部分１１Ｌと下紙２０の部分２３Ｌとが貼り合される。
【００４０】
こうして、冊子１が完成する。完成した冊子１を開くと図１の状態となり、工程２で予め貼り合せられたポップアップ部分１２Ｌ、１２Ｒが立体的に起立する。
【００４１】
［変形例］
次に、本実施形態の変形例について説明する。上記の実施形態では、上紙１０に糊付け、貼り合せ、切断などの加工を施してポップアップ形状を作製しているが、冊子にポップアップ形状を設けなくてもよい。
【００４２】
図６は、ポップアップ形状を設けない冊子の外観を示す。この例では、上紙６０と下紙７０を部分的に貼り合せて冊子５０を作製している。冊子５０の中心線付近の構造は図１に示す冊子１と同様である。即ち、下紙７０の中央部分７２により上げ底部を形成し、下紙７０の中央部分７２より外側の部分と、上紙１０の中央部分６３Ｌ、６３Ｒとを貼り合せている。ポップアップ形状を設けないため、上紙１０の左右の部分は冊子５０のページとなる。
【００４３】
このように、ポップアップ形状を設けない場合であっても、上げ底部を形成することにより上紙１０の中央付近が大きく開くようになるので、上紙１０の中央付近の印刷内容などを見やすくすることができる。
【００４４】
変形例に係る冊子５０の製造方法は、図４、５を参照して説明した冊子１の製造方法において、工程２の糊付けを省略し、工程４で貼り合せ領域２５Ｌ、２５Ｒに相当する部分にだけ糊付けを行い、工程６の型抜きを省略すればよい。
【符号の説明】
【００４５】
１、５０  冊子
１０、６０  上紙
１０Ｃ、２０Ｃ  中心線
２０、７０  下紙
１２Ｌ、１２Ｒ  ポップアップ部分
２２、７２  中央部分
１４Ｌ、１４Ｒ、１５Ｌ、１５Ｒ  切断線
【図１】
0006372292.tif 000002
【図２】
0006372292.tif 000003
【図３】
0006372292.tif 000004
【図４】
0006372292.tif 000005
【図５】
0006372292.tif 000006
【図６】
0006372292.tif 000007